(57)【要約】【課題】コストを安くして全体を軽く施工することができ、植物の生育が良好化する壁面緑化施工方法を提供する。【解決手段】建物壁１の表面に沿ってボード３を立設し、ボード３の表面に、複数の升目状空間を形成する枠材４を取り付け、枠材４の表面に角目ネット５を取り付けて、角目ネット５の裏側の升目状空間内に水苔７を入れ、この水苔７に、角目ネット５の表面側から角目ネット５を切って植物８を斜め上から差し込んで植え付ける。【選択図】図１
2015223168.tif 000002
【特許請求の範囲】
【請求項１】
建物壁の表面に沿ってボードを立設し、
該ボードの表面に、複数の升目状空間を形成する枠材を取り付け、
該枠材に角目ネットを取り付けて、該角目ネットにより前記升目状空間の表面を覆うとともに、
該角目ネットと前記ボード間の前記升目状空間内に水苔を入れ、
前記角目ネットを切って該水苔内に表面側から植物を植え付ける
ことを特徴とする壁面緑化施工方法。
【請求項２】
前記角目ネットの表面に給水チューブを配設することを特徴とする請求項１に記載の壁面緑化施工方法。
【請求項３】
前記ボードおよび枠材は樹脂製であり、前記枠材は角状または板状の樹脂材を碁盤の目に組んで前記升目状空間が形成されたものであることを特徴とする請求項１または請求項２に記載の壁面緑化施工方法。
【請求項４】
前記角目ネットは、伸縮性のないものであることを特徴とする請求項１〜３何れかに記載の壁面緑化施工方法。
【請求項５】
前記建物壁の表面に、足場用の足場管を配設し、該足場管の表面に前記ボードを取り付けたことを特徴とする請求項1〜４何れかに記載の壁面緑化施工方法。
【発明の詳細な説明】
【技術分野】
【０００１】
本発明は、建物壁の壁面を植物で緑化する壁面緑化施工方法に関するものである。
【背景技術】
【０００２】
従来、壁面緑化システムとして、特許文献１に開示されているようなものがあり、これは垂直な建物壁の表面に、縦方向にフレーム部材を取り付け、フレーム部材に対し横方向に設置部材を取り付けて、設置部材に、植物を育成することのできるプランターボックスを取り付ける構造のものである。
【先行技術文献】
【特許文献】
【０００３】
【特許文献１】特開２０１４−６４５５８号公報
【発明の概要】
【発明が解決しようとする課題】
【０００４】
上記特許文献１に開示されているような壁面緑化システムでは、プランターボックス内に土を入れて植物を育成するものであるため、全体が重くなり、コストがかかり過ぎ、しかも壁面全体を早期に緑化することが困難であるという問題点があった。
【課題を解決するための手段】
【０００５】
本発明は、全体が軽く安価に施工することができ、しかも植物を良好に成長させることのできる壁面緑化施工方法の提供を目的とし、この目的の少なくとも一部を達成するために以下の手段を採った。
本発明の壁面緑化施工方法は、
建物壁の表面に沿ってボードを立設し、
該ボードの表面に、複数の升目状空間を形成する枠材を取り付け、
該枠材に角目ネットを取り付けて、該角目ネットにより前記升目状空間の表面を覆うとともに、
該角目ネットと前記ボード間の前記升目状空間内に水苔を入れ、
前記角目ネットを切って該水苔内に表面側から植物を植え付ける
ことを要旨とする。
【発明の効果】
【０００６】
壁面に沿ってボードを立設し、このボードの表面に枠材を取り付け、さらに枠材の表面に角目ネットを取り付け、角目ネットの裏側に水苔を入れて、安価に施工することができ、角目ネットを適宜切って角目ネットの表面側から植物を水苔内に植え付けることができ、土を用いないために全体が軽くなり、乾きやすく、空気の流通が良いため、植物の根や葉の成長が良好なものとなり、壁面を早期に緑化できるものとなる。
【０００７】
また、本発明の壁面緑化施工方法において、前記角目ネットの表面に給水チューブを配設するものとすることもできる。
こうすれば、給水チューブを介して水苔に適宜給水することができ、水やり作業も自動で行えるものとなる。
【０００８】
また、本発明の壁面緑化施工方法において、前記ボードおよび枠材は樹脂製であり、前記枠材は角状または板状の樹脂材を碁盤の目に組んで前記升目状空間が形成されたものとすることができる。
こうすれば、ボードおよび枠材は腐食することがなく、長期に亘り使用することができて、全体が軽くコストを低減させて施工できるものとなる。
【０００９】
また、本発明の壁面緑化施工方法において、前記角目ネットは、伸縮性のないものとすることができる。
こうすれば、角目ネットは伸縮性がないために捩れ等が生ずることがなくなる。
【００１０】
また、本発明の壁面緑化施工方法において、前記建物壁の表面に、足場用の足場管を配設し、該足場管の表面に前記ボードを取り付けて構成することもできる。
こうすれば、建物壁からボードまでの間に足場管が配置されることで、建物壁から離して壁面緑化を行うことができるものとなる。
【図面の簡単な説明】
【００１１】
【図１】建物壁の表面にボードと枠材と角目ネットを設置して水苔を内部に詰め込み、水苔内に植物を植え付けて壁面を緑化した状態の要部縦断面構成図である。
【図２】建物壁にアンカーボルトを打ち込んだ状態の斜視構成図である。
【図３】アンカーボルトにボードを取り付け、建物壁の表面にボードを立設した状態の斜視構成図である。
【図４】さらにボードの表面に升目状空間を形成する枠材を取り付けた状態の斜視構成図である。
【図５】さらに枠材の表面に角目ネットを取り付けて升目状空間の表面を角目ネットで覆った状態の斜視構成図である。
【図６】さらに角目ネットの表面に給水チューブを配設した状態の斜視構成図である。
【図７】変形例を示し、建物壁の表面に足場管を配設した斜視構成図である。
【図８】さらに足場管の表面側に角材を取り付けた状態の斜視構成図である。
【図９】足場管の表面に角材を介しボードを取り付けた斜視構成図である。
【図１０】さらにボードの表面に升目状空間を形成する枠材を取り付けた状態の斜視構成図である。
【図１１】さらに枠材の表面に角目ネットを取り付け、さらにその表面に給水チューブを設けた状態の斜視構成図である。
【図１２】壁面の一部に陶板壁を配置した施工状態の斜視構成図である。
【図１３】壁面の一部にロッククライミング壁を配置した施工状態の斜視構成図である。
【発明を実施するための形態】
【００１２】
次に、本発明を実施するための形態を実施例を用いて説明する。
図１は、植物を植え付けて壁面を緑化施工した状態の要部縦断面構成図である。
このような植物による壁面緑化は、図２〜図６に示すような施工手順により施工される。
【００１３】
図２のように、例えば垂直なコンクリート製の建物壁１にアンカーボルト２，２，２を打ち込んでおき、このアンカーボルト２，２，２に、図３のようにボード３を取り付け、複数枚のボード３，３，３を建物壁１の表面側に立設して、緑化したい部分を覆う。このボード３は、廃プラスチック製のリプラボードと呼ばれるものである。
【００１４】
次に、図４に示すように、ボード３の表面に、廃プラスチック製のリプラ枠と呼ばれる枠材４をネジ止めする。
この枠材４は、ボード３から表面側へ５ｃｍ程度突出する厚みを有する廃プラスチック製の角材または板状材を、縦方向および横方向に碁盤の目状に組み合わせたもので、縦方向および横方向に組み合わせた枠材４内には複数の升目状空間４ａ，４ａ，４ａが形成されている。この各升目状空間４ａは、例えば８０ｃｍ×８０ｃｍの四角形状の空間であるが、６０ｃｍ×６０ｃｍ程度のものであっても良く、また、横長状のものであっても良い。
【００１５】
枠材４を取り付けた後に、図５に示すように、枠材４の表面側に角目ネット５をビス等で止めて、角目ネット５により枠材４の升目状空間４ａ，４ａ，４ａの表面を覆う。
この角目ネット５は難燃性ポリエチレン製であり、通常１０ｍｍ目のものが用いられ、伸縮しない性質であり、ハサミで容易に切断できるものである（商品名セルビュー）。
なお、角目ネット５としてステンレス網を使用する場合もある。
【００１６】
図１に断面図で示すように、この角目ネット５の裏側の各升目状空間４ａ内には水を含ませた水苔７を詰め込んで施工するが、水苔７以外に、一部にロックウールを使用することがある。
また、図６に示すように、角目ネット５の表面に、上下に間隔をおいて複数本の給水チューブ６，６，６を横方向に配設する。この給水チューブ６，６，６は、枠材４に固定して設置することができるが、角目ネット５の部分にも取り付け可能である。
給水チューブ６，６，６の上流の縦方向の部分６ａは塩ビパイプであり、この塩ビパイプの部分６ａの上流端側には、図示しない電磁弁や年間タイマー，コントローラー等を備えた自動給水装置が接続されるものである。
植物８は、角目ネット５をハサミやナイフで切って適宜切り目を入れ、その切り目を通し、根を斜め上方から下向きに水苔７内に植え付け、表面側から植物８の植栽を行う。
なお、その後、角目ネット５の切り目が開かないよう補修止めする。
【００１７】
このような壁面緑化施工方法では、土を用いることなく水苔７等を用いるものであるため、全体が軽く、水苔７等は乾きやすく空気の流通が良いために植物８の根や葉の成長が良好なものとなり、壁面全域に亘り早期に植物による緑化が可能となる。
なお、図示しない自動給水装置から自動的に給水チューブ６を通して水苔７等に給水が行われるため、施工後の管理も極めて容易なものとなる。
【００１８】
また、ボード３および枠材４は樹脂製であるため腐食することもなく、長期間の使用が可能である。
なお、枠材４をボード３の表面に取り付けるに際し、ボード３から少し浮かせた状態で枠材４を取り付けるようにすれば、ボード３と枠材４間に隙間が形成されるため、この隙間を通って植物８の根が良好に広がることができ、升目状空間４ａ内および升目状空間４ａの外側にも植物８の根が広がって、より植物の成長が良好化されるものとなる。
【００１９】
次に、図７〜図１１に示すものは、壁面緑化施工方法の変形例である。
この図７〜図１１に示す施工方法では、建物壁１から離して壁面緑化を行うものである。
先ず、図７に示すように、建物壁１の表面にアンカーボルト２を介して足場管９を配設する。この足場管９は、通常、建築現場の足場に使用される鉄製パイプ（鋼管），ステンレス管あるいはアルミ製パイプであり、建物壁１に固定される後縦管９ａおよび後横管９ｃと、後縦管９ａから前方側へ延びる奥行管９ｅ，９ｅと、奥行管９ｅ，９ｅの前端に連結される前縦管９ｂおよび前横管９ｄで構成され、足場管９が設置された状態では、建物壁１と前縦管９ｂおよび前横管９ｄとの間には距離が生ずるものである。
なお、通常、壁面緑化域の高さが４ｍ以上になると、足場を前に設置して施工作業することとなるが、これの代わりに足場管９を活用できる効果がある。
【００２０】
この足場管９を設置した後に、図８に示すように、足場管９の前横管９ｄ，９ｄ，９ｄに角材１３を取り付ける。即ち、角材１３は、複数の前横管９ｄ，９ｄ，９ｄに沿って上下に間隔をおいて複数本取り付けられる。
この角材１３に対し、図９に示すように、ボード３がネジ止めされて取り付けられる。このボード３は、前述したような廃プラスチック製のものである。
さらに、このボード３の表面に、図１０のように、升目状空間４ａを形成する枠材４がネジ止めされ、各升目状空間４ａ内には、菱材，角材等の２個のネット止め用板材１０が取り付けられる。
【００２１】
さらに、図１１のように、枠材４の表面に升目状空間４ａを覆うように角目ネット５が枠材４およびネット止め用板材１０に固定されて取り付けられ、この角目ネット５の裏側の各升目状空間４ａ内には水を含ませた水苔７等を詰め込んで施工する。
また、図１１に示すように、角目ネット５の表面に上下に間隔をおいて横方向に複数本の給水チューブ６，６，６を配設する。この給水チューブ６，６，６は、枠材４およびネット止め用板材１０に固定して設置することができるが、角目ネット５の部分にも取り付け可能である。
給水チューブ６，６，６の上流の縦方向の部分６ａは塩ビパイプであり、この塩ビパイプの部分６ａの上流端側には、図示しない電磁弁や年間タイマー，コントローラー等を備えた自動給水装置が接続されるものである。
植物８は、角目ネット５をハサミやナイフで切って適宜切り目を入れ、その切り目を通し、根を斜め上方から下向きに水苔７内に植え付け、表面側から植物８の植栽を行う。
【００２２】
この図７〜図１１に示す施工方法のものにおいても、各升目状空間４ａ内には水苔７が入れられて、斜め上から植物８が水苔７内に植え付けられ、植物により壁面が緑化されるものである。
本例では、建物壁１からボード３までの間に足場管９が配置されているため、建物壁１から離して壁面緑化を行うことができるものである。
なお、足場管９の他に、ステンレス枠，鉄メッキ加工枠等を建物壁１からボード３までの間に設置して、建物壁１から離して壁面緑化を行う場合もある。
【００２３】
なお、建物壁１の全域に植物を植栽させる場合や、建物壁１の一部に植物を植栽する場合等、現場に応じて緑化する範囲は設定されるものであるが、例えば図１２に示すように、建物壁１の表面の一部に、陶磁器製の陶板を設置して、壁面緑化域の一部に陶板壁１１を形成させても良い。
【００２４】
また、図１３に示すように、壁面緑化域の一部に、多数の突起１２ａを表面に突出させたロッククライミング壁１２を配置させる場合もある。
また、壁面緑化域の一部に土壁を配置させる場合もあり、さらに壁面緑化域の一部に水槽を配置させる場合や、壁面緑化域の一部にステンドグラスを配置させる場合等、現場に対応して緑化される壁面の意匠を適宜変更させることができる。
【符号の説明】
【００２５】
１  建物壁
２  アンカーボルト
３  ボード
４  枠材
４ａ  升目状空間
５  角目ネット
６  給水チューブ
７  水苔
８  植物
９  足場管
１０  ネット止め用板材
１１  陶板壁
１２  ロッククライミング壁
１３  角材
【図１】
2015223168.tif 000003
【図２】
2015223168.tif 000004
【図３】
2015223168.tif 000005
【図４】
2015223168.tif 000006
【図５】
2015223168.tif 000007
【図６】
2015223168.tif 000008
【図７】
2015223168.tif 000009
【図８】
2015223168.tif 000010
【図９】
2015223168.tif 000011
【図１０】
2015223168.tif 000012
【図１１】
2015223168.tif 000013
【図１２】
2015223168.tif 000014
【図１３】
2015223168.tif 000015